(57)【要約】【課題】  従来、画像表示装置は、低階調の表現力を向上させる駆動シーケンスに切り換えている期間が短く、また、駆動シーケンスの切り換えのショックが大きいといった課題があった。【解決手段】  １フィールド期間内において符号化されたサブフィールドのデータの重み毎に使われている画素数を検出するＳＦ使用率検出回路６と、該ＳＦ使用率検出回路の出力から点灯パターンテーブルの選択信号を出力する表示ＳＦ選択回路７と、入力画像信号および前記表示ＳＦ選択回路からの選択信号を受け取り、該選択信号に従って予め記憶された複数の点灯パターンテーブルから１つを選択し、該選択された点灯パターンテーブルに従って前記サブフィールドのデータに符号化して出力するＳＦ変換回路（３）と、該ＳＦ変換回路の出力を受け取って、所定の駆動シーケンスに従って表示パネル９を駆動する駆動制御回路５と、を備えるように構成する。【選択図】      図２
2005234369.tif 000002
【特許請求の範囲】
【請求項１】
１フィールドを重み付けされた複数のサブフィールドに分割し、該複数のサブフィールドを組み合わせて表示パネルに多階調表示を行う画像表示装置であって、
１フィールド期間内において符号化されたサブフィールドのデータの重み毎に使われている画素数を検出するＳＦ使用率検出回路と、
該ＳＦ使用率検出回路の出力から点灯パターンテーブルの選択信号を出力する表示ＳＦ選択回路と、
入力画像信号および前記表示ＳＦ選択回路からの選択信号を受け取り、該選択信号に従って予め記憶された複数の点灯パターンテーブルから１つを選択し、該選択された点灯パターンテーブルに従って前記サブフィールドのデータに符号化して出力するＳＦ変換回路と、
該ＳＦ変換回路の出力を受け取って、所定の駆動シーケンスに従って前記表示パネルを駆動する駆動制御回路と、を備えることを特徴とする画像表示装置。
【請求項２】
請求項１に記載の画像表示装置において、
前記駆動シーケンスは予め複数設定され、前記駆動制御回路は、前記選択された点灯パターンテーブルに合わせて１つの駆動シーケンスを選択し、該選択された駆動シーケンスに従って前記表示パネルを駆動することを特徴とする画像表示装置。
【請求項３】
請求項１に記載の画像表示装置において、前記ＳＦ変換回路は、任意の前記点灯パターンテーブルに設けられたデータに従って前記複数の点灯パターンテーブルから１つの点灯パターンテーブルを選択することを特徴とする画像表示装置。
【請求項４】
請求項１に記載の画像表示装置において、任意の前記点灯パターンテーブルにおけるサブフィールド毎の点灯／不点灯を示すパターンデータは、前記表示パネルを駆動するためのデータであり、前記点灯パターンテーブルを切り換える用途のデータでもあることを特徴とする画像表示装置。
【請求項５】
請求項１に記載の画像表示装置において、
前記駆動制御回路は、任意の前記点灯パターンテーブルにおけるパターンデータを使用して前記表示パネルの駆動を行い、且つ、
前記ＳＦ選択回路は、前記任意の前記点灯パターンテーブルにおける前記表示パネルを駆動しないパターンデータを使用して前記点灯パターンテーブルの選択を行うことを特徴とする画像表示装置。
【請求項６】
請求項１に記載の画像表示装置において、前記点灯パターンテーブルの表示駆動するために使用されるサブフィールドにより表現できる最も大きい階調またはそれに近い階調Ｘから、当該点灯パターンテーブルの全てのサブフィールドにより表現できる最も大きい階調Ｚまで前記表示パネルを駆動するために使用されるパターンデータは、全て或いは比較的重みの大きいパターンデータの殆どが点灯を示すデータであることを特徴とする画像表示装置。
【請求項７】
請求項６に記載の画像表示装置において、前記複数の点灯パターンテーブルは前記各サブフィールドの重みが全て同じの第１および第２の点灯パターンテーブルを備え、
前記第１の点灯パターンテーブルは入力に対して出力が線形で１対１に対応し、且つ、前記第２の点灯パターンテーブルは前記付記８の点灯パターンテーブルであることを特徴とする画像表示装置。
【請求項８】
請求項７に記載の画像表示装置において、前記第２の点灯パターンテーブルにおける前記階調Ｘから前記階調Ｚまで点灯パターンテーブルを切り換える用途の１つ或いは複数の重みのパターンデータの点灯を示すデータの階調と、前記第１の点灯パターンテーブルの前記階調Ｘから前記階調Ｚまでの前記第２の点灯パターンテーブルにおける点灯パターンテーブルを切り換える用途の１つ或いは複数の同じ重みのパターンデータの点灯を示すデータの階調とが同じであることを特徴とする画像表示装置。
【請求項９】
請求項７に記載の画像表示装置において、前記第２の点灯パターンテーブルにおける前記階調Ｘから前記階調Ｚまで点灯パターンテーブルを切り換えるための用途の１つ或いは複数の重みのパターンデータ毎で点灯を示すデータの数と、前記第１の点灯パターンテーブルの前記階調Ｘから前記階調Ｚまでの点灯を示すデータの数とが少ないことを特徴とする画像表示装置。
【請求項１０】
請求項２に記載の画像表示装置において、前記複数の駆動シーケンスは、同じ重みのサブフィールドおよび異なる重みのサブフィールドを備え、同じ重みのサブフィールドは前記複数の駆動シーケンスにおいて発光する時間的位置が略同じであることを特徴とする画像表示装置。
【請求項１１】
請求項２に記載の画像表示装置において、前記複数の駆動シーケンスは、同じ重みのサブフィールドおよび異なる重みのサブフィールドを備え、同じ重みのサブフィールドにおいて発光する順番が同じであることを特徴とする画像表示装置。
【請求項１２】
請求項１に記載の画像表示装置において、前記表示ＳＦ選択回路は、前記ＳＦ使用率検出回路の各重みのサブフィールの出力が所定値以下であることを検出すると、該表示ＳＦ選択回路の出力を切り換えることを特徴とする画像表示装置。
【請求項１３】
請求項１に記載の画像表示装置において、前記表示ＳＦ選択回路は、１フィールド毎に出力が切り換わって、以前のフィールドの出力結果を基に現在の出力値を決定することを特徴とする画像表示装置。
【請求項１４】
請求項１３に記載の画像表示装置において、前記表示ＳＦ選択回路は、出力にヒステリシス特性を有していることを特徴とする画像表示装置。
【請求項１５】
請求項２に記載の画像表示装置において、前記駆動制御回路は、駆動シーケンスを切り換える場合、１つまたは複数のステップで徐々に切り換えることを特徴とする画像表示装置。
【請求項１６】
１フィールドを重み付けされた複数のサブフィールドに分割し、該複数のサブフィールドを組み合わせて表示パネルに多階調表示を行う画像表示装置の駆動方法であって、
１フィールド期間内において符号化されたサブフィールド毎に使われている画素数を検出する画素数検出段階と、
該検出されたサブフィールド毎の画素数に従って、点灯パターンテーブルの選択信号を出力する選択信号出力段階と、
入力画像信号を受け取り、前記選択信号に従って予め記憶された複数の点灯パターンテーブルから１つを選択し、該選択された点灯パターンテーブルに従って前記サブフィールドのデータに符号化して出力する符号化データ出力段階と、
前記符号化されたサブフィールドのデータおよび所定の駆動シーケンスに従って前記表示パネルに画像を表示する画像表示段階と、を備えることを特徴とする画像表示装置の駆動方法。
【請求項１７】
請求項１６に記載の画像表示装置の駆動方法において、前記選択信号出力段階は、前記検出されたサブフィールド毎の画素数により当該サブフィールドの使用率を検出し、該検出されたサブフィールドの使用率に従って前記点灯パターンテーブルの選択信号を出力することを特徴とする画像表示装置の駆動方法。
【請求項１８】
入力信号の信号レベルに応じて多階調表示を行う画像表示装置の駆動方法であって、階調の増加に応じて出力レベルが単調増加となる第１の階調特性と、階調の増加に対して出力レベルが一定となる領域を含む第２の階調特性とを映像内容に従って切り換えて表示することを特徴とする画像表示装置の駆動方法。
【発明の詳細な説明】
【技術分野】
【０００１】
本発明は、画像表示装置およびその駆動方法に関し、特に、プラズマディスプレイパネル（ＰＤＰ：Plasma Display Panel）を駆動するのに適した画像表示装置およびその駆動方法に関する。
【０００２】
近年、表示装置の大型化に伴って薄型の表示装置が要求され、各種類の薄型の表示装置が提供されている。例えば、ディジタル信号のままで表示するマトリックスパネル、すなわち、ＰＤＰ等のガス放電パネルや、ＤＭＤ（Digital Micromirror Device）、ＥＬ表示素子、蛍光表示管、液晶表示素子等のマトリックスパネル等が提供されている。このような薄型の表示装置のうち、ガス放電パネルは、簡易なプロセスのため大画面化が容易であること、自発光タイプで表示品質が良いこと、並びに、応答速度が速いこと等の理由から大画面で直視型のＨＤＴＶ（高品位テレビ）用表示デバイスとして実用化に至っている。
【０００３】
プラズマディスプレイ装置は、各フィールド（フレーム）内に複数の維持放電パルス（サステインパルス）で構成される重み付けされた複数のサブフィールド（ＳＦ：発光ブロック）を設け、各サブフィールドを点灯または不点灯とすることにより多階調制御して画像表示を行うようになっている。このような複数のサブフィールドの点灯／不点灯を制御して多階調表示を行う画像表示装置において、低階調の表現力を向上させることが望まれ、そして、駆動シーケンスの切り換えのショックを緩和しつつ低階調の表現力を向上させる駆動シーケンスに切り換えている期間を長くすることが要望されている。さらに、サスティンの発光期間を短縮して消費電力を低減させることも要望されている。
【背景技術】
【０００４】
従来、最大輝度が低くて発光しないサブフィールドがある場合、最下位サブフィールドの２分の１のサスティン期間のサブフィールドを設けて黒側の階調数を増やすようにしたディスプレイの駆動方式が提案されている。（例えば、特許文献１参照）。
【０００５】
図１は従来の画像表示装置における駆動シーケンスの一例を示す図である。
【０００６】
図１に示されるように、従来、１フィールドを重みの異なる８つのサブフィールドＳＦ１〜ＳＦ８で駆動する場合、例えば、上位側ビット駆動時には、重みが４，８，１２，１６，２０，２４，２８，３２の８つのサブフィールドＳＦｂ３〜ＳＦｂ１０を使用し、また、最大輝度が低い場合には、最も重みの大きい（重み３２の）サブフィールドＳＦｂ１０を使用せずに重みが４のサブフィールドＳＦｂ３の半分の重み（重み２）のサブフィールドＳＦｂ２を含めたサブフィールドＳＦｂ２〜ＳＦｂ９の下位側ビット駆動を行って、低階調の表現力を向上させるものが提案されている。
【０００７】
また、従来、プラズマディスプレイパネルの明るさの調整を行うために、画像の明るさ情報に基づいてサブフィールド数Ｚを調整する調整器を設けた明るさによるサブフィールド数調整可能な画像表示装置が提案されている。（例えば、特許文献２参照）。
【０００８】
さらに、従来、画像の明るさ情報に基づいて重み付けの倍数Ｎ（Ｎは、正の整数および小数点以下の数値）を調整する調整器を設け、重み付け倍数Ｎが変わっても明るさに急激な変化が現れず、画面を見ている者に違和感を与えることなくプラズマディスプレイパネルの明るさの調整を行うようにしたＰＤＰ表示の駆動パルス制御装置が提案されている。（例えば、特許文献３参照）。
【０００９】
【特許文献１】特開平１１−０６５５２１号公報
【特許文献２】特開平１１−２３１８２５号公報
【特許文献３】特開平１１−２３１８３３号公報
【発明の開示】
【発明が解決しようとする課題】
【００１０】
図１を参照して説明したように、従来、最大輝度が低い場合、最も重みの大きいサブフィールド（ＳＦｂ１０）を使用せずに最小の重み（重み４）のサブフィールド（ＳＦｂ３）よりもさらに小さい重み（重み２）のサブフィールド（ＳＦｂ２）を使用することで、低階調の表現力を向上させるものが提案されている。
【００１１】
しかしながら、例えば、テレビジョン放送等の実際の映像データにおいて、最上位ビット（最も重みの大きいサブフィールドＳＦｂ１０）は殆どの場合使用されるようになっており、最下位側ビット駆動を選択することは極めて少なく、折角最下位側ビット駆動により低階調の表現力を向上させることが可能であっても、その切り換わっている時間は非常に短く、実質的な効果がない。
【００１２】
さらに、図１の下位側ビット駆動シーケンスと上位側ビット駆動シーケンスでは、１フィールドにおいて、同じ重みのサブフィールドの時間的位置が変わっている。すなわち、下位側ビット駆動シーケンスでは重みが２のサブフィールドＳＦｂ２を最初に駆動するのに対して、上位側ビット駆動シーケンスでは重みが４のサブフィールドＳＦｂ３を最初に駆動するため、上位側ビット駆動シーケンスにおいては、サブフィールドＳＦｂ２の駆動時間分だけ時間的に後にずれる。その結果、下位側ビット駆動シーケンスと上位側ビット駆動シーケンスでは、発光の重心が著しく変化することになるため、表示駆動ビットが切り換わると、すなわち、下位側ビット駆動および上位側ビット駆動が切り換わると、その切り換えのショックが発生して、画像表示装置を見ている者（視聴者）に違和感を与えてしまう。特に、短期間に複数回の切り換えが繰り返されると、フリッカのような現象が発生して画質が低下する。
【００１３】
本発明は、上述した従来の画像表示装置が有する課題に鑑み、低階調の表現力を向上させる駆動シーケンスに切り換えている期間を長くし、さらに、駆動シーケンスの切り換えのショックを緩和することのできる画像表示装置およびその駆動方法の提供を目的とする。さらに、本発明は、サスティンの発光期間を短縮して消費電力を低減させることのできる画像表示装置およびその駆動方法の提供も目的とする。
【課題を解決するための手段】
【００１４】
本発明の第１の形態によれば、１フィールドを重み付けされた複数のサブフィールドに分割し、該複数のサブフィールドを組み合わせて表示パネルに多階調表示を行う画像表示装置であって、１フィールド期間内において符号化されたサブフィールドのデータの重み毎に使われている画素数を検出するＳＦ使用率検出回路と、該ＳＦ使用率検出回路の出力から点灯パターンテーブルの選択信号を出力する表示ＳＦ選択回路と、入力画像信号および前記表示ＳＦ選択回路からの選択信号を受け取り、該選択信号に従って予め記憶された複数の点灯パターンテーブルから１つを選択し、該選択された点灯パターンテーブルに従って前記サブフィールドのデータに符号化して出力するＳＦ変換回路と、該ＳＦ変換回路の出力を受け取って、所定の駆動シーケンスに従って前記表示パネルを駆動する駆動制御回路と、を備えることを特徴とする画像表示装置が提供される。
【００１５】
本発明の第２の形態によれば、１フィールドを重み付けされた複数のサブフィールドに分割し、該複数のサブフィールドを組み合わせて表示パネルに多階調表示を行う画像表示装置の駆動方法であって、１フィールド期間内において符号化されたサブフィールド毎に使われている画素数を検出する画素数検出段階と、該検出されたサブフィールド毎の画素数に従って、点灯パターンテーブルの選択信号を出力する選択信号出力段階と、入力画像信号を受け取り、前記選択信号に従って予め記憶された複数の点灯パターンテーブルから１つを選択し、該選択された点灯パターンテーブルに従って前記サブフィールドのデータに符号化して出力する符号化データ出力段階と、前記符号化されたサブフィールドのデータおよび所定の駆動シーケンスに従って前記表示パネルに画像を表示する画像表示段階と、を備えることを特徴とする画像表示装置の駆動方法が提供される。
【００１６】
本発明の第３の形態によれば、入力信号の信号レベルに応じて多階調表示を行う画像表示装置の駆動方法であって、階調の増加に応じて出力レベルが単調増加となる第１の階調特性と、階調の増加に対して出力レベルが一定となる領域を含む第２の階調特性とを映像内容に従って切り換えて表示することを特徴とする画像表示装置の駆動方法が提供される。
【発明の効果】
【００１７】
本発明によれば、低階調の表現力を向上させる駆動シーケンスに切り換えている期間を長くすることが可能になる。また、本発明によれば、駆動シーケンスの切り換えのショックを緩和することができる。さらに、本発明によれば、サスティンの発光期間を短縮することができ消費電力を低減させることが可能になる。
【発明を実施するための最良の形態】
【００１８】
以下、本発明に係る画像表示装置およびその駆動方法の各実施例を、添付図面を参照して詳述する。
【実施例】
【００１９】
図２は本発明に係る画像表示装置の一実施例を示すブロック図である。図２において、参照符号１はディジタルの映像信号入力端子、２は水平同期信号，垂直同期信号，表示期間を示す表示期間信号およびクロック信号等の同期信号入力端子、３は多階調化処理回路、４はフィールドメモリ、５は駆動制御回路、６はＳＦ使用率検出回路、７は表示ＳＦ選択回路、８はタイミング生成回路、そして、９は表示パネルを示している。
【００２０】
フィールドメモリ４は、１フィールド分のデータを記憶したら、次のフィールド期間でその記憶した１フィールド分の同じＳＦ毎に順次データを読み出すようになっており、また、タイミング生成回路８は、同期信号等の各種タイミング信号を生成する回路である。なお、表示パネルは、例えば、プラズマディスプレイパネル（ＰＤＰ）等の表示パネルであり、例えば、各種ドライバ（例えば、三電極交流駆動型ＰＤＰにおけるＸドライバ、Ｙドライバおよびアドレスドライバ）等を含んでいる。
【００２１】
図３は本発明の画像表示装置における多階調化処理回路３の一例を示すブロック図である。図３において、参照符号３０はゲイン回路、３１は誤差拡散制御回路、３２はＳＦ変換回路、そして、３３は後段のフィールドメモリ４への書き込み制御を行うメモリ書き込み制御回路である。
【００２２】
ゲイン回路３０は、映像信号入力端子１に供給された１は映像信号をＳＦ変換回路３２の点灯パターンの階調数に正規化するもので、例えば、入力する映像信号が８ビット２５６ステップで、ＳＦ変換回路３２により変換される階調数が１４７であるならば、ゲイン回路３０のゲイン値は１４７／２５６に設定されることになる。
【００２３】
メモリ書き込み制御回路３３は、１ラインメモリを有し、１ライン分のサブフィールドのデータに変換された映像データを一時的に記憶して、その１ライン分のサブフィールドのデータをサブフィールドＳＦｂ毎にフィールドメモリ４に書き込む、すなわち、パラレルシリアル変換後に書き込み、その際のメモリへの書き込み制御信号の生成も行っている。
【００２４】
図４〜図６は本発明の画像表示装置のＳＦ変換回路における点灯パターンの例（点灯パターンテーブル）を示す図であり、図４は点灯パターンの第１の例（ＳＦ点灯パターンテーブルＡ）を示し、図５は第２の例（ＳＦ点灯パターンテーブルＢ）を示し、そして、図６は第３の例（ＳＦ点灯パターンテーブルＣ）を示している。なお、図中、○印は点灯を意味する。
【００２５】
図４および図５に示されるように、ＳＦ点灯パターンテーブルＡおよびＢは階調１１５までのサブフィールドＳＦｂの点灯パターンのデータは同じであるが、図４のＳＦ点灯パターンテーブルＡでは、１１６階調以上も点灯パターンと表現する階調が一致するのに対して、図５の点灯パターンテーブルＢでは、１１６階調以上において全てのサブフィールドＳＦｂ（ＳＦｂ１〜ＳＦｂ１０）が点灯するパターンのデータになっている。
【００２６】
図６の点灯パターンテーブルＣは、図５の点灯パターンテーブルＢと同様に、１１６階調以上は全てのサブフィールドＳＦｂ１〜ＳＦｂ１０が点灯し、さらに、８８階調から１１５階調までは最大の重み（３２）のＳＦｂ１０を除くＳＦｂ１〜ＳＦｂ９が点灯するパターンのデータになっている。
【００２７】
ここで、点灯パターンテーブルＡで駆動に使われるサブフィールドＳＦｂはＳＦｂ３〜ＳＦｂ１０の８つのサブフィールドであり、また、点灯パターンテーブルＢで駆動に使われるサブフィールドＳＦｂはＳＦｂ２〜ＳＦｂ９の８つのサブフィールドで、そのため、１１６階調以上の階調は１１６に固定される。さらに、点灯パターンテーブルＣで駆動に使われるサブフィールドＳＦｂはＳＦｂ１〜ＳＦｂ８の８つのサブフィールドで、そのため、８８階調以上の階調は８８に固定される。
【００２８】
図７は図３における誤差拡散制御回路３１の一例を示すブロック図である。図７において、参照符号２５０は表示ビットと拡散ビットを分離する表示／誤差分離回路、２５４は１画素（１Ｄ）遅延回路、２５６は１ライン−１画素（１Ｌ−１Ｄ）遅延回路、２５８は１ライン（１Ｌ）遅延回路、そして、２６０は１ライン＋１画素（１Ｌ＋１Ｄ）遅延回路を示している。さらに、参照符号２５５は係数Ｋ１倍の掛け算回路、２５７は係数Ｋ２倍の掛け算回路、２５９は係数Ｋ３倍の掛け算回路、２６１は係数Ｋ４倍の掛け算回路、２５１および２５３は加算回路、２５２は加算回路２５１からの桁上げデータを表示／誤差分離回路２５０から出力される表示ビットに加算回路２５３で加算するためのビットを合わせる桁あわせ回路を示している。そして、表示の階調に合わせて、表示／誤差分離回路２５０の分離するビットと桁あわせ回路２５２のビットを加算回路２５３で足し合わせるようになっている。
【００２９】
誤差拡散制御回路３１は、サブフィールドＳＦｂ３〜ＳＦｂ１０の８つのサブフィールドを表示駆動する場合、サブフィールドＳＦｂ３〜ＳＦｂ１０によって表現できる階調は階調０を含め１４８／４の３７階調で３７は６ビットで表現できるので最上位（ＭＳＢ）ビットから６ビット以下のデータを空間的に表現するため、このＭＳＢ６ビット以下のビットを加算し、桁上げがあったら表示駆動する。また、サブフィールドＳＦｂ２〜ＳＦｂ９を表示駆動する場合には、ＭＳＢから７ビット以下のデータを空間的に表現させるとよい。
【００３０】
図８は本発明の画像表示装置におけるＳＦ使用率検出回路６の一例を示すブロック図である。図８において、参照符号６０１〜６１０は加算回路を示し、また、６１１〜６２０は使用率演算回路を示している。
【００３１】
加算回路６０１〜６１０は、多階調化処理回路３でサブフィールド変換された各サブフィールドＳＦｂ１〜ＳＦｂ１０について１フィールド分全て加算して、使用率演算回路６１１〜６２０で１フィールド毎に各サブフィールドＳＦｂ１〜ＳＦｂ１０の画面総画素数に対する割合（使用率）ＳＦＬ１〜ＳＦＬ１０を出力する。
【００３２】
ここで、各加算回路６０１〜６１０は、画面画素総数分のビット数が必要で、各使用率ＳＦＬ１〜ＳＦＬ１０の出力ビットは、例えば、画素数が垂直４８０×水平６４０ドットの場合、全画素数が３０７２００ドットで２０ビットの加算回路が必要となるが、本実施例では出力に２０ビット分必要ではなく、２０ビット以下でよい。それは、例えば、ＭＳＢ側から８ビットにすると、１２００ドットでＳＦＬの出力は１になるため、１２００ドット分（率では１／２５６）は無視することができる。なお、加算回路は、その出力ビット数が多いほど無視する画素数が少なくなってより正確な判定を行うことができるが、映像信号ノイズに対しても敏感になるため、２０ビット以下にすることでノイズに起因した誤検出を排除することができる。本発明において、全画面に対する使用している割合を演算して出力しているが、加算結果をそのまま出力するようにしてもよい。
【００３３】
なお、ＳＦ使用率検出回路６としては、使用率演算回路６１１〜６２０を設けずに、加算回路６０１〜６１０だけで構成することもできる。
【００３４】
図９は本発明の画像表示装置における表示ＳＦ選択回路７の一例を示すブロック図であり、図１０は本発明の画像表示装置における表示ＳＦ選択回路７の出力例の表を示す図である。図９において、参照符号７０１〜７１０は零検出回路を示し、また、７２は選択番号生成回路を示している。
【００３５】
零検出回路７０１〜７１０は、１フィールド毎にＳＦ使用率検出回路６の出力ＳＦＬ１〜ＳＦＬ１０の値が零『０』であるかどうかを検出し、信号Ｌ１〜Ｌ１０を選択番号生成回路７２へ出力する。各零検出回路７０１〜７１０は、各使用率ＳＦＬ１〜ＳＦＬ１０の値が『０』すなわち各サブフィールドＳＦｂ１〜ＳＦｂ１０を使用している場合には『０』を出力し、各使用率ＳＦＬ１〜ＳＦＬ１０の値が『０』でない場合には『１』を出力する。そして、選択番号生成回路７２は、使用率ＳＦＬ７〜ＳＦＬ１０に関して図１０に示されるような信号Ｓを出力する。
【００３６】
すなわち、零検出回路７１０からの信号Ｌ１０が『０』すなわちサブフィールドＳＦｂ１０が使用されている場合には、零検出回路７０９〜７０７からの信号Ｌ９〜Ｌ７（Ｌ９〜Ｌ１）に関わらずＳ＝０を出力する。また、零検出回路７１０からの信号Ｌ１０が『１』で且つ零検出回路７０９からの信号Ｌ９が『０』の場合、すなわち、サブフィールドＳＦｂ１０が使用されずにサブフィールドＳＦｂ９が使用されている場合には、零検出回路７０８および７０７からの信号Ｌ８およびＬ７（Ｌ８〜Ｌ１）に関わらずＳ＝１を出力する。
【００３７】
さらに、零検出回路７１０および７０９からの信号Ｌ１０およびＬ９が『１』で且つ零検出回路７０８からの信号Ｌ８が『０』の場合、すなわち、サブフィールドＳＦｂ１０およびＳＦｂ９が使用されずにサブフィールドＳＦｂ８が使用されている場合には、零検出回路７０７からの信号Ｌ７（Ｌ７〜Ｌ１）に関わらずＳ＝２を出力する。この選択番号生成回路７２の出力Ｓは、表示ＳＦ選択回路７の出力として駆動制御回路５および多階調化処理回路３へ供給される。
【００３８】
図１１は本発明の画像表示装置における駆動シーケンスの第１実施例を示す図であり、１フィールドを８つのサブフィールドＳＦ１〜ＳＦ８で駆動する例を示している。
【００３９】
駆動制御回路５は、表示ＳＦ選択回路７の出力Ｓにより駆動シーケンスを切り換えている。すなわち、図１１に示されるように、駆動制御回路５は、Ｓ＝０のときは駆動シーケンスＡにより表示パネル９を駆動し、Ｓ＝１のときは駆動シーケンスＢにより表示パネル９を駆動し、そして、Ｓ＝２のときは駆動シーケンスＣにより表示パネル９を駆動する。ここで、図１１から明らかなように、表示ＳＦ選択回路７の出力Ｓが、Ｓ＝０，Ｓ＝１，Ｓ＝２と変化しても、１フィールドのＳＦ１〜ＳＦ６の時間的位置にあるサブフィールドＳＦｂ３〜ＳＦｂ８はそのままの位置で移動せず、すなわち、駆動シーケンスＡ〜Ｃにおける同じ重みのサブフィールドＳＦｂ３〜ＳＦｂ８の時間的位置は変化しないようになっており、例えば、Ｓ＝０の駆動シーケンスＡとＳ＝１の駆動シーケンスＢとの間の駆動シーケンスの切り換わりによるショックは殆どない。
【００４０】
また、例えば、駆動シーケンスＡから駆動シーケンスＢへ切り換わる瞬間は、重み３２のＳＦｂ１０は画素数が零に近いため（使用率ＳＦＬが８ビットの場合、１／２５６を零とすると、使用率が零であっても実際は零でないこともある）殆ど発光はしておらず、重心の移動も殆どない。さらに、例えば、Ｓ＝１の駆動シーケンスＡとＳ＝２の駆動シーケンスＢとの間で駆動シーケンスが切り換わった場合でも、１フィールドのＳＦ１〜ＳＦ６までの比較的重みの大きいサブフィールドＳＦｂ３〜ＳＦｂ８の発光する時間的位置に変化がないので重心の移動を小さくすることができ、駆動シーケンスの切り換わりによる切り換えショックを緩和することができる。なお、使用率は零がよいが、零でなくても小さい数であればよい。
【００４１】
図１２は本発明の画像表示装置における駆動制御回路５の一例を示すブロック図である。図１２において、参照符号５０はメモリ読み出し制御回路を示し、５１は表示装置に必要な各種タイミング信号を生成し表示装置に出力する駆動タイミング生成回路を示している。
【００４２】
メモリ読み出し制御回路５０は、駆動タイミング生成回路５１で生成されたタイミングに従って、フィールドメモリ４から各ラインでサブフィールドＳＦｂ毎に並び変えて書き込まれたデータを１フィールド分サブフィールドＳＦｂ毎に読み出し、そのサブフィールドＳＦｂ毎のデータを表示パネル９へ出力する。また、メモリ読み出し制御回路５０は、表示ＳＦ選択回路７から出力される選択信号ＳがＳ＝０，Ｓ＝１，Ｓ＝２となるのに応じて、フィールドメモリ４に記憶されているサブフィールドＳＦｂ毎のデータを読み出す。すなわち、Ｓ＝０の場合（駆動シーケンスＡの場合）は、ＳＦｂ３，ＳＦｂ４，ＳＦｂ５，ＳＦｂ６，ＳＦｂ７，ＳＦｂ８，ＳＦｂ９，ＳＦｂ１０の順番に読み出し、Ｓ＝１の場合（駆動シーケンスＢの場合）は、ＳＦｂ３，ＳＦｂ４，ＳＦｂ５，ＳＦｂ６，ＳＦｂ７，ＳＦｂ８，ＳＦｂ９，ＳＦｂ２の順番に読み出し、そして、Ｓ＝２の場合（駆動シーケンスＣの場合）は、ＳＦｂ３，ＳＦｂ４，ＳＦｂ５，ＳＦｂ６，ＳＦｂ７，ＳＦｂ８，ＳＦｂ１，ＳＦｂ２の順番に読み出す。
【００４３】
ところで、例えば、プラズマディスプレイ装置において、消費電力は１フィールド期間内のサスティン期間つまり各サブフィールドの重みの和に依存し、Ｓ＝０の駆動シーケンスＡの重みの和は１４４、Ｓ＝１の駆動シーケンスＢの重みの和は１１４、そして、Ｓ＝２の駆動シーケンスＣの重みの和は８７で、より上位のサブフィールドＳＦｂを使わない駆動シーケンスほど電力を消費しない。
【００４４】
ここで、図４〜図６を参照して説明したように、多階調化処理回路３におけるＳＦ変換回路３２に記憶されているＳＦ点灯データテーブルは３種類（ＳＦ点灯データテーブルＡ〜Ｃ）有り、そのデータテーブルは表示ＳＦ選択回路７の出力Ｓにより切り換えられる。すなわち、Ｓ＝０の場合テーブルＡ、Ｓ＝１の場合テーブルＢ、そして、Ｓ＝２の場合テーブルＣに切り換えるようになっている。
【００４５】
図５を参照して説明したように、テーブルＢは１１６階調以上のＳＦ変換回路３２への入力信号は全て１１６階調に飽和させるようになっており、その飽和させる映像の最大の部分はＳＦ使用率検出回路６から出力される使用率ＳＦＬのビット数に依存し、例えば、８ビットの場合には表示面積にして１／２５６、９ビットの場合には１／５１２であり、実映像上殆ど問題ないくらい小さい面積比である。この小さい表示面積の部分を無視することによって、Ｓ＝１を選択する頻度が飛躍的に向上する。具体的に、例えば、月夜の風景の画像において、月の明るさが重み３２のサブフィールドＳＦｂ１０を使っているがその面積が１／２５６以下であればＳ＝１を選択することになる。
【００４６】
前述したように、使用率検出回路６の各出力ＳＦＬは、そのビット数が多いほど無視する画素数が少なくなり、より正確な駆動シーケンスの選択の判定ができるが、映像信号ノイズにも敏感になることで誤検出したり、頻繁に駆動シーケンスを切り換えたり、上位側のサブフィールドＳＦｂを含む駆動シーケンスを選択する頻度が多くなり、つまり上位側のサブフィールドＳＦｂを含まない駆動シーケンスを選択する期間が短くなり、比較的暗い映像が多いシーンでも上位側のサブフィールドＳＦｂを含まない駆動シーケンスを選択しなくなることもあり、効果が薄れる。
【００４７】
本実施例では、Ｓ＝０の駆動シーケンスＡとＳ＝１の駆動シーケンスＢの切り換えに関して、駆動シーケンスにおいてＳ＝０の場合ＳＦ変換回路３２の出力（サブフィールド）ＳＦｂ１０〜ＳＦｂ１のうち表示（駆動）に使用されるのはサブフィールドＳＦｂ１０〜ＳＦｂ３の８ビットで、Ｓ＝１の場合表示に使用されるのはサブフィールドＳＦｂ９〜ＳＦｂ２の８ビットで、点灯パターンテーブルＢは点灯パターンテーブルＡとサブフィールドＳＦｂ１０において全ての階調で同じ点灯パターンにしてあるため、Ｓ＝１の駆動シーケンスＢで実際駆動に使われないＳＦｂ１０のＳＦＬ１０の使用率を検出できるようにしてある。
【００４８】
このように、本実施例の画像表示装置によれば、最下位側ビットを選択駆動表示する時間を長くして最下位側ビットを使った映像を効果的に表現させることができる。さらに、駆動シーケンスの切り換わりによる切り換えショックを緩和することで画像表示装置を見ている者（視聴者）に違和感を与えないようになっている。
【００４９】
図１３は本発明の画像表示装置における画像表示処理の一例を示すフローチャートである。
【００５０】
まず、画像表示処理が開始されると、ステップ１４１において、画像表示装置の初期化を行う。このとき、点灯パターンテーブルは、図４に示されるような点灯パターンテーブルＡが選択され、また、駆動シーケンスは、図１１の下段の駆動シーケンスＡが選択される。
【００５１】
次に、ステップ１４２に進んで、入力する画像データをサブフィールドＳＦｂのデータに変換（ＳＦ変換回路３２）し、さらに、ステップ１４３で各サブフィールドＳＦｂの使用率を検出（ＳＦ使用率検出回路６）する。そして、ステップ１４４で最も重みが大きいサブフィールドＳＦｂ１０が使用されているか否か、並びに、ステップ１４５で２番目に重みが大きいサブフィールドＳＦｂ９が使用されているか否かの判定を行う。すなわち、ステップ１４４および１４５の処理において、サブフィールドＳＦｂ１０が使われていれば、ステップ１４６に進んで点灯パターンテーブルＡを選択し、また、サブフィールドＳＦｂ１０が使われずにサブフィールドＳＦｂ９が使われていれば、ステップ１４７に進んで点灯パターンテーブルＢを選択し、さらに、サブフィールドＳＦｂ１０およびＳＦｂ９が使われていなければ、ステップ１４８に進んで点灯パターンテーブルＣを選択する。
【００５２】
そして、それぞれステップ１４９に進んで、選択された点灯パターンテーブルＡ〜Ｃのいずれかに基づいて表示パネル９を駆動する。これにより、階調表現力を向上させることができる。
【００５３】
図１４は本発明の画像表示装置における画像表示処理の他の例を示すフローチャートである。
【００５４】
図１４と上述した図１３との比較から明らかなように、図１４のフローチャートにおけるステップ１５１〜１５５および１５９は、図１３のフローチャートにおけるステップ１４１〜１４５および１４９に対応している。すなわち、図１４のフローチャートでは、図１３のフローチャートにおけるステップ１４６〜１４８の処理が異なっている。
【００５５】
すなわち、ステップ１５４および１５５の処理において、サブフィールドＳＦｂ１０が使われていれば、ステップ１５６に進んで点灯パターンテーブルＡおよび駆動シーケンスＡを選択し、また、サブフィールドＳＦｂ１０が使われずにサブフィールドＳＦｂ９が使われていれば、ステップ１５７に進んで点灯パターンテーブルＢおよび駆動シーケンスＢを選択し、さらに、サブフィールドＳＦｂ１０およびＳＦｂ９が使われていなければ、ステップ１５８に進んで点灯パターンテーブルＣおよび駆動シーケンスＣを選択する。
【００５６】
そして、それぞれステップ１５９に進んで、選択された点灯パターンテーブルＡ〜Ｃおよび駆動シーケンスＡ〜Ｃのいずれかに基づいて表示パネル９を駆動する。このように、点灯パターンテーブルおよび駆動シーケンスの両方を切り換えることにより、階調表現力を向上させると共に、切り換えのショックを緩和することができる。
【００５７】
図１５〜図１９は本発明の画像表示装置のＳＦ変換回路における点灯パターンの例（点灯パターンテーブル）を示す図であり、図１５は点灯パターンの第４の例（ＳＦ点灯パターンテーブルＢ２）を示し、図１６は第５の例（ＳＦ点灯パターンテーブルＢ３）を示し、図１７は点灯パターンの第６の例（ＳＦ点灯パターンテーブルＢ４）を示し、図１８は第７の例（ＳＦ点灯パターンテーブルＢ５）を示し、そして、図１９は第８の例（ＳＦ点灯パターンテーブルＡ２）を示す図である。なお、図中、○印は点灯を意味する。
【００５８】
まず、図１５に示されるように、ＳＦ点灯パターンテーブルＢ２は、サブフィールドＳＦｂ１０が１３２階調から最高階調の１４７階調まで点灯するパターンで、前述した図５に示す点灯パターンテーブルＢの１１６階調から１４７階調までに比べてサブフィールドＳＦｂ１０が点灯する階調数を上位側にずらし、１１６階調から１３１階調まではサブフィールドＳＦｂ１０を点灯しないようになっている。ここで、テーブルＢ２においては、テーブルＢに比べて信号Ｌ１０を検出し難くなるため、表示ＳＦ選択回路７の出力Ｓをヒステリシスの特性にする（選択信号Ｓの切り換わりにヒステリシス特性を持たせる）ことができ、切り換わりが短時間で頻繁に起きることによる不具合を低減することが可能になる。
【００５９】
また、図１６に示されるように、ＳＦ点灯パターンテーブルＢ３は、サブフィールドＳＦｂ１０が１１６階調から最高階調の１４７階調まで１階調置きに点灯するパターンのデータで、上述したテーブルＢ２と同様に、テーブルＢ３はテーブルＢに比べて信号Ｌ１０を検出し難くなるため、表示ＳＦ選択回路７の出力Ｓをヒステリシスの特性にすることができ、切り換わりが短時間で頻繁に起きることによる不具合を低減することが可能になる。
【００６０】
さらに、図１７に示されるように、ＳＦ点灯パターンテーブルＢ４は、上述したテーブルＢ３とは逆に、１０２階調から１１５階調まで１階調置きに点灯するパターンのデータとなっている。すなわち、図４に示す点灯パターンテーブルＡでサブフィールドＳＦｂ１０が点灯でない階調（１０２階調〜１１５階調）でも１階調置きに点灯させることで、表示ＳＦ選択回路７の出力Ｓにヒステリシス特性を持たせるようになっている。
【００６１】
また、図１８に示されるように、ＳＦ点灯パターンテーブルＢ５では、サブフィールドＳＦｂ１を階調１１４から階調１３２まで不点灯にすることで、表示ＳＦ選択回路７の出力Ｓにヒステリシス特性を持たせるようになっている。このように、点灯／不点灯を制御するのは、サブフィールドの最大値ではなく最大値近辺であってもよい。また、出力Ｓにヒステリシス特性を持たせるために制御するサブフィールドは１つではなく複数であってもよい。
【００６２】
また、図１９に示されるように、サブフィールドＳＦｂ１０への桁上りの階調はＳＦ点灯パターンテーブルＡでは階調１１６であるのに対して、ＳＦ点灯パターンテーブルＡ２では階調１１２で、階調１１２〜１１６は点灯する重みの和は階調に一致していて、ＳＦ点灯パターンテーブルＡと点灯パターンのデータが異なっているだけである。点灯パターンテーブルＢと組み合わせることで、点灯パターンテーブルＡは点灯パターンテーブルＢよりサブフィールドＳＦｂ１０が点灯する階調が低いので、Ｓ＝０の時、Ｓ＝１になり難く、Ｓ＝１の時Ｓ＝０になり易いので、ヒステリシスの特性を持たせることができる。
【００６３】
以上において、ＳＦ変換回路３２で使用するＳＦ点灯データテーブルは３種類に限定されるものではなく、２種類以上であればよい。また、ＳＦ変換回路３２で使用するＳＦ点灯データテーブルの種類を増やせば、画像表示装置内の処理ビット数を増やすことでより一層暗い映像の階調数を増加することが可能になる。
【００６４】
また、ＳＦ使用率検出回路６の出力ビットを切り換えることにより、信号Ｓにヒステリシスな特性を持たせることができる。すなわち、例えば、Ｓ＝０の駆動シーケンスＡのとき、ＳＦ使用率検出回路６の出力ビットをＭＳＢから８ビットにし、且つ、Ｓ＝１の駆動シーケンスＢのとき、ＳＦ使用率検出回路６の出力ビットをＭＳＢから９ビットにすると、Ｓ＝０の８ビットの場合の出力０が検出され易くなり、且つ、Ｓ＝１の９ビットの場合の出力０は検出され難くなり、その結果、信号Ｓの切り換わりにヒステリシス特性を持たせることができる。
【００６５】
図２０は本発明の画像表示装置における表示ＳＦ選択処理の一例を示すフローチャートであり、表示ＳＦ選択回路７の出力（選択信号Ｓ）にヒステリシス特性を持たせる処理を示すものである。
【００６６】
まず、表示ＳＦ選択処理が開始されると、ステップ１６１において、表示ＳＦ選択回路７の初期化を行う。すなわち、表示ＳＦを選択する信号ＳをＳ＝０とすると共に、パラメータＮをＮ＝０とする。ここで、Ｎは、ヒステリシスを実現するためのパラメータである。
【００６７】
次に、ステップ１６２に進んで、各サブフィールドＳＦｂの使用率を検出する。この処理は、図８を参照して説明したＳＦ使用率検出回路６の処理に対応する。さらに、ステップ１６３に進んで、図９を参照して説明した選択番号生成回路７２における現在の出力によって生成された表示ＳＦ選択値をＳNOWに代入する。さらに、ステップ１６４に進んで、以前の表示ＳＦ選択回路７の出力Ｓと現在のＳNOWとを比較して、Ｓ＝ＳNOWが成立すればステップ１６８に進み、また、Ｓ＝ＳNOWが成立しなければステップ１６５に進んで、パラメータＮに１を加算する（Ｎ＝Ｎ＋１）。
【００６８】
さらに、ステップ１６６において、Ｎが１０かどうか（Ｎ＝１０？）を判定し、１０回連続してＳとＳNOWが異なっている場合にはステップ１６７に進み、それまで（Ｎが１０になるまで）は、ステップ１６２に戻って同様の処理を繰り返す。そして、ステップ１６６において、１０回連続してＳとＳNOWが異なっている（Ｎが１０に達した）と判定されると、ステップ１６７において、ＳNOWをＳに切り換え（ＳNOW⇒Ｓ）、さらに、ステップ１６８に進む。ステップ１６８では、パラメータＮを０に戻し（０⇒Ｎ）、ステップ１６２に戻って同様の処理を繰り返す。
【００６９】
ここで、図２０のフローチャートのステップ１６６におけるパラメータＮとの比較を行う数は１０に限定されるものではなく、１よりも大きければ表示ＳＦ選択回路７の出力信号Ｓの切り換わりにヒステリシス特性を持たせることができる。
【００７０】
図２１は本発明の画像表示装置における表示ＳＦ選択回路の出力であるヒステリシス特性の第１の例を示す図であり、上述した図２０のフローチャートによる表示ＳＦ選択処理によって表示ＳＦ選択回路７の出力信号Ｓの切り換わりに生じるヒステリシス特性を説明するためのものである。
【００７１】
図２１に示されるように、表示ＳＦ選択回路７の出力信号Ｓが、Ｓ＝０からＳ＝１に切り換わるのは、映像信号のピーク値がサブフィールドＳＦｂ１０を使わなくなる１１６階調を下回るタイミングＴＰ１１から１０フィールド後のタイミングＣＰ１１となり、また、Ｓ＝１からＳ＝０に切り換わるのは、映像信号のピーク値がサブフィールドＳＦｂ１０を使用するようになる１１６階調を超えるタイミングＴＰ１２から１０フィールド後のタイミングＣＰ１２となる。このように、図２０に示す表示ＳＦ選択処理によれば、表示ＳＦ選択回路７の出力信号Ｓの切り換わりにヒステリシス特性を持たせることにより短時間で出力が切り換わるのを緩和させることができる。
【００７２】
図２２は本発明の画像表示装置における表示ＳＦ選択処理の他の例を示すフローチャートである。
【００７３】
図２２と上述した図２０との比較から明らかなように、図２２のフローチャートにおけるステップ１７２〜１７５，１８０および１８１は、図２０のフローチャートにおけるステップ１６２〜１６５，１６７および１６９に対応している。すなわち、図２２のフローチャートでは、図２０のフローチャートにおけるステップ１６１および１６７の処理が異なっている。
【００７４】
すなわち、表示ＳＦ選択処理が開始されると、ステップ１７１において、表示ＳＦ選択回路７の初期化を行うが、表示ＳＦを選択する信号ＳをＳ＝０とすると共に、パラメータＮおよびＭをそれぞれＮ＝０，Ｍ＝０とする。ここで、ＮおよびＭは、ヒステリシスを実現するためのパラメータである。
【００７５】
次に、前述した図２０のステップ１６２〜１６５に対応するステップ１７２〜１７５の処理を行った後、ステップ１７６に進んで、Ｓ＝０が成立するかどうかを判定する。ステップ１７６において、Ｓ＝０が成立すると判定されるとステップ１７７に進んで、Ｍ＝３０としてステップ１７９に進み、また、Ｓ＝０が成立しないと判定されるとステップ１７８に進んで、Ｍ＝３０としてステップ１７９に進む。
【００７６】
ステップ１７９では、Ｎ＝Ｍが成立するかどうかを判定し、Ｎ＝Ｍが成立すると判定されるとステップ１８０に進み、また、Ｎ＝Ｍが成立しないと判定されるとステップ１７２に戻ってＮ＝Ｍが成立するまで同様の処理を繰り返す。
【００７７】
すなわち、図２２のフローチャートは、図２０のフローチャートにおけるステップ１６６における「Ｎ＝１０？」の判定の「１０」を変数Ｍに置き換えたものに相当する。そして、ステップ１７４において不一致であると判定されると、現在のＳが０の場合にはＭに３０を代入（ステップ１７７）し、また、現在のＳが１の場合にはＭに１０を代入（ステップ１７８）するようになっている。
【００７８】
これにより、Ｓが０で連続して３０回ＳNOWが１の場合、Ｓは１に切り換わり、また、Ｓが１で連続して１０回ＳNOWが０の場合、Ｓは０に切り換わるため、現在のＳの値により連続検出回数を変えることができヒステリシスの特性を調整することができる。なお、ステップ１７７における値「３０」およびステップ１７８における値「１０」は適宜変更し得るのはいうまでもない。
【００７９】
図２３は本発明の画像表示装置における表示ＳＦ選択回路の出力であるヒステリシス特性の第２の例を示す図であり、上述した図２２のフローチャートによる表示ＳＦ選択処理によって表示ＳＦ選択回路７の出力信号Ｓの切り換わりに生じるヒステリシス特性を説明するためのものである。
【００８０】
図２３に示されるように、表示ＳＦ選択回路７の出力信号Ｓが、Ｓ＝０からＳ＝１に切り換わるのは、映像信号のピーク値がサブフィールドＳＦｂ１０を使わなくなる１１６階調を下回るタイミングＴＰ２１から３０フィールド後のタイミングＣＰ２１となり、また、Ｓ＝１からＳ＝０に切り換わるのは、映像信号のピーク値がサブフィールドＳＦｂ１０を使用するようになる１１６階調を超えるタイミングＴＰ２２から１０フィールド後のタイミングＣＰ２２となる。このように、図２２に示す表示ＳＦ選択処理によれば、表示ＳＦ選択回路７の出力信号Ｓの切り換わりにヒステリシス特性を持たせることにより短時間で出力が切り換わるのを緩和させることができる。ここで、図２２に示す表示ＳＦ選択処理によれば、ステップ１７７でＭに代入する値（３０）の方がステップ１７８でＭに代入する値（１０）よりも大きいため、Ｓ＝１からＳ＝０に切り換わるよりもＳ＝０からＳ＝１に切り換わる方が切り換わり難いため、サブフィールドＳＦｂ１０の映像の明るい部分がつぶれるのを防止することができる。
【００８１】
図２４は本発明の画像表示装置における表示ＳＦ選択回路の出力であるヒステリシス特性の第３の例を示す図であり、図２２のフローチャートにおけるステップ１７７でＭに代入する値を１０（Ｍ＝１０）とし、且つ、ステップ１７８でＭに代入する値を３０（Ｍ＝３０）とした場合における表示ＳＦ選択回路７の出力信号Ｓの切り換わりに生じるヒステリシス特性を説明するためのものである。
【００８２】
図２４に示されるように、表示ＳＦ選択回路７の出力信号Ｓが、Ｓ＝０からＳ＝１に切り換わるのは、映像信号のピーク値がサブフィールドＳＦｂ１０を使わなくなる１１６階調を下回るタイミングＴＰ３１から１０フィールド後のタイミングＣＰ３１となり、また、Ｓ＝１からＳ＝０に切り換わるのは、映像信号のピーク値がサブフィールドＳＦｂ１０を使用するようになる１１６階調を超えるタイミングＴＰ３２から３０フィールド後のタイミングＣＰ３２となる。この場合、Ｓ＝０からＳ＝１に切り換わるよりもＳ＝１からＳ＝０に切り換わる方が切り換わり難いため、映像が多少つぶれても低階調部分の表現力を向上させることを優先するには好ましい。
【００８３】
このように、図２２のフローチャートにおけるステップ１７７および１７８でＭに代入する値を変化させることにより表示ＳＦ選択回路７の出力信号Ｓの切り換わりに生じるヒステリシス特性を制御することができる。なお、例えば、図１７を参照して説明した点灯パターンテーブルＢ４、および、前述したＳＦ使用率検出回路６の出力ビットを切り換えることにより、ヒステリシス特性を微調整することも可能である。
【００８４】
図２５は本発明の画像表示装置の駆動制御回路における駆動シーケンスの第２実施例を示す図であり、図１１を参照して説明した駆動シーケンスを切り換える場合の切り換えのショックを緩和する第１実施例とは異なる第２実施例を説明するためのものである。
【００８５】
図２５と図１１との比較から明らかなように、図１１の第１実施例の駆動シーケンスＢと図２５の第２実施例の駆動シーケンスＢ２は共にＳ＝１の場合の駆動シーケンスであるが、第１実施例の駆動シーケンスＢでは重みが２のサブフィールドＳＦｂ２は最後（ＳＦ８）に駆動するのに対して、第２実施例の駆動シーケンスＢ２では一番初め（ＳＦ１）に駆動するようになっている。
【００８６】
前述した図１１の第１実施例では、駆動シーケンスＡから駆動シーケンスＢに一気に切り換えると、サブフィールドＳＦｂ３にはサブフィールドＳＦｂ２の誤差拡散分の点灯を含んでいて最初に駆動するサブフィールドＳＦｂ３で点灯していた画素が駆動シーケンスＢでサブフィールドＳＦｂ２を最後に点灯駆動すると、サブフィールドＳＦｂ３の重みは小さいので重心の移動が小さいが、サブフィールドＳＦｂ３の使用率が高いと切り換えのショックは小さいが少しある。それに対して、図２４の本第２実施例では、複数のステップで徐々に切り換えることで、Ｓ＝０からＳ＝１に切り換える。
【００８７】
まず、第１段階ＳＴ１１において、Ｓ＝０の駆動シーケンスＡで表示に殆ど使われないサブフィールドＳＦｂ１０のＳＦ８は１１６階調目を表現するために重み４のサスティン期間にする（駆動シーケンスＡ１）。すなわち、サブフィールドＳＦｂ１０のサスティン期間を重み３２の長さ（パルス数）から重み４の長さに短縮する。なお、このサブフィールドＳＦｂ１０のサスティン期間は０でも構わないが、その場合には、１１６番目の階調は表現されないことになる。
【００８８】
次に、第２段階ＳＴ１２において、ＳＦ１の前にショックを受けない程度の時間の休止期間ＳＰ１１を挿入する（駆動シーケンスＡ２）。さらに、第３段階ＳＴ１３において、切り換えのショックに気がつかないように、フィールド毎に徐々にその期間ＳＰ１１を広くして、丁度サブフィールドＳＦｂ２が駆動できる期間まで休止期間ＳＰ１２を広げる（駆動シーケンスＡ３）。そして、第４段階ＳＴ１４において、サブフィールドＳＦｂ１０を止めると共に、サブフィールドＳＦｂ２をＳＦ１に挿入する（駆動シーケンスＢ２）。なお、Ｓ＝１からＳ＝０に切り換える場合は、上記の各段階と逆のステップを踏めば、同様に切り換えのショックを緩和することができる。
【００８９】
図２６は本発明の画像表示装置の駆動制御回路における駆動シーケンスの第３実施例を示す図である。
【００９０】
図２５を参照して説明した駆動シーケンスの第２実施例では、休止期間（ＳＰ１１，ＳＰ１２）を１フィールドの最初の位置（ＳＦ１）に設けたが、この休止期間を挿入する場所はどこでもよく、本第３実施例では、各サブフィールドＳＦｂの使用率を検出し（図８の各加算回路６０１〜６１０および使用率演算回路６１１〜６２０によりサブフィールドＳＦｂ１〜ＳＦｂ１０の使用率が検出される）、使用率が大きいサブフィールドは動かさないようにすることができる。具体的に、図２６の第３実施例は、重み８のサブフィールドＳＦｂ４の使用率が大きい場合を示し、第２段階ＳＴ２２および第３段階ＳＴ２３では、休止期間ＳＰ２１およびＳＰ２２をサブフィールドＳＦｂ４の後（ＳＦ３）に挿入し、そこに重み２のサブフィールドＳＦｂ２を配置するようになっている。
【００９１】
図２７は本発明の画像表示装置の駆動制御回路における駆動シーケンスの第４実施例を示す図である。
【００９２】
図２７に示す第４実施例の駆動シーケンスでは、第１段階ＳＴ３１でＳＦ８を削除するようになっている。また、第４段階ＳＴ３４で挿入する重み２のサブフィールドＳＦｂ２を含めて各サブフィールドＳＦｂ２〜ＳＦｂ９を並べ変えるようになっている。
【００９３】
駆動シーケンスの切り換えにおいて、重心はできるだけ移動しないことが望ましいが、重みが比較的大きくないサブフィールドＳＦｂを並び換えても重心は大きく移動しないので、重みが比較的大きくないサブフィールドＳＦｂは並び換えることができる。すなわち、動画の映像は常に動いているため、Ｓ＝１のからＳ＝０に切り換える時の映像の重心と、Ｓ＝０からＳ＝１に切り換える時の映像の重心は必ずしも同じであるとは限らないので、比較的重みが小さいサブフィールドＳＦｂを並び換えても大きく重心は変わらない。そのため、休止期間に新たに重みが小さいサブフィールドを挿入するよりもサブフィールドを並び換えた方が安定した駆動のため、好ましいこともある。特に、重みの小さいＳＦから順に駆動するのがよい。
【００９４】
ここで、挿入する休止期間はできるだけ１フィールドの早い時間に挿入した方がよく、また、サブフィールドＳＦｂはできるだけ重みの順番に並び換える方がよい。
【００９５】
図２８は本発明の画像表示装置の駆動制御回路における駆動シーケンスの第５実施例を示す図である。
【００９６】
ところで、駆動シーケンスを切り換える場合、図１１に示す第１実施例のように切り換えてもよいが、図２８に示す第５実施例のように切り換えることもできる。
【００９７】
すなわち、比較的重みが大きいサブフィールドＳＦｂ（例えばＳＦｂ７，ＳＦｂ６）の使用率が高い場合には第１実施例のように駆動シーケンスを切り換え、また、比較的重みが小さいサブフィールドＳＦｂ（例えば、ＳＦｂ３，ＳＦｂ２，ＳＦｂ１）の使用率が高い場合には本第５実施例のように切り換えた方が重心の移動が少なく済むため、各サブフィールドＳＦｂの使用率により駆動シーケンスの切り換えを変化させることもできる。なお、各サブフィールドＳＦｂ１〜ＳＦｂ１０の使用率は、図８の各加算回路６０１〜６１０および使用率演算回路６１１〜６２０により検出される。
【００９８】
図２９は本発明に係る画像表示装置の他の実施例を示すブロック図である。
【００９９】
図２９において、映像信号入力端子１、同期信号入力端子２、多階調化処理回路３、フィールドメモリ４、駆動制御回路５、ＳＦ使用率検出回路６、表示ＳＦ選択回路７、タイミング生成回路８および表示パネル９は、図２を参照して説明したものに対応するので、その説明は省略する。
【０１００】
図２９と図２との比較から明らかなように、図２の画像表示装置における使用率検出回路６は、多階調化処理３のＳＦ変換回路の出力（ＳＦｂ１〜ＳＦｂ１０）を入力として受け取っているのに対して、図２９に示す本実施例の画像表示装置における使用率検出回路６は、映像信号入力端子１からの画像入力を入力として受け取っている。すなわち、使用率検出回路６の入力としては、多階調化処理３の出力ではなく映像信号入力端子１に供給される画像入力をそのまま使用することができる。
【０１０１】
図３０は本発明の画像表示装置におけるＳＦ使用率検出回路の他の例を示すブロック図であり、上述した図２９のＳＦ使用率検出回路として適用することができるものである。
【０１０２】
前述した図８のＳＦ使用率検出回路６における加算回路６０９，６１０、使用率演算回路６１９，６２０は、図２９のＳＦ使用率検出回路６における加算回路６０９，６１０、使用率演算回路６１９，６２０に対応する。比較回路６３０および６３１は、画像入力が所定値以上のデータを検出して、所定値以上の場合は「１」を出力し、所定値未満の場合「０」を出力する。このようにして、図８のＳＦ使用率検出回路と同様に所定値以上の画素数または使用率を検出することができる。ここで、上記所定値は、点灯パターンテーブルの表示に使われるサブフィールドで表現できる最大の階調値を画像入力に換算した数値にする。つまり、比較回路と加算回路と使用率演算回路の組み合わせは、点灯パターンテーブルの数−１だけ必要になる。
【０１０３】
以上において、ＲＧＢの三原色についても、本発明は原色信号毎に回路があれば実現することができるのはもちろんである。また、本発明の適用は、プラズマディスプレイ装置に限定されるものではない。
【０１０４】
なお、上述したように、本発明におけるサブフィールドの重みはデータの重みでもあってもよいが、輝度の重みであってもよい。
【０１０５】
（付記１）  １フィールドを重み付けされた複数のサブフィールドに分割し、該複数のサブフィールドを組み合わせて表示パネルに多階調表示を行う画像表示装置であって、
１フィールド期間内において符号化されたサブフィールドのデータの重み毎に使われている画素数を検出するＳＦ使用率検出回路と、
該ＳＦ使用率検出回路の出力から点灯パターンテーブルの選択信号を出力する表示ＳＦ選択回路と、
入力画像信号および前記表示ＳＦ選択回路からの選択信号を受け取り、該選択信号に従って予め記憶された複数の点灯パターンテーブルから１つを選択し、該選択された点灯パターンテーブルに従って前記サブフィールドのデータに符号化して出力するＳＦ変換回路と、
該ＳＦ変換回路の出力を受け取って、所定の駆動シーケンスに従って前記表示パネルを駆動する駆動制御回路と、を備えることを特徴とする画像表示装置。
【０１０６】
（付記２）  付記１に記載の画像表示装置において、前記ＳＦ使用率検出回路は、前記サブフィールド毎の画素数を加算する加算回路を備えることを特徴とする画像表示装置。
【０１０７】
（付記３）  付記２に記載の画像表示装置において、前記ＳＦ使用率検出回路は、前記加算回路の出力から前記サブフィールドの使用率を演算する使用率演算回路を備えることを特徴とする画像表示装置。
【０１０８】
（付記４）  付記１に記載の画像表示装置において、前記ＳＦ使用率検出回路は、画像入力を入力信号とすることを特徴とする画像表示装置。
【０１０９】
（付記５）  付記４に記載の画像表示装置において、前記ＳＦ使用率検出回路は、前記入力画像を所定値と比較する比較回路と、該比較回路が所定値以上であるとする画素数を加算する加算回路とを備えることを特徴とする画像表示装置。
【０１１０】
（付記６）  付記５に記載の画像表示装置において、前記比較回路および前記加算回路は、点灯パターンテーブル数−１個設けられていることを特徴とする画像表示装置。
【０１１１】
（付記７）  付記６に記載の画像表示装置において、前記比較回路で比較する所定値は、前記点灯パターンテーブルで表示に使われるサブフィールドで表現できる最大階調近辺の値であることを特徴とする画像表示装置。
【０１１２】
（付記８）  付記１に記載の画像表示装置において、
前記駆動シーケンスは予め複数設定され、前記駆動制御回路は、前記選択された点灯パターンテーブルに合わせて１つの駆動シーケンスを選択し、該選択された駆動シーケンスに従って前記表示パネルを駆動することを特徴とする画像表示装置。
【０１１３】
（付記９）  付記１に記載の画像表示装置において、
前記ＳＦ使用率検出回路は、前記サブフィールドのデータに符号化された同じ重みのサブフィールドのデータを、１フィールドの期間で該各重みのサブフィールドのデータの画素数を加算演算し、１フィールド毎に出力することを特徴とする画像表示装置。
【０１１４】
（付記１０）  付記１に記載の画像表示装置において、前記ＳＦ変換回路は、任意の前記点灯パターンテーブルに設けられたデータに従って前記複数の点灯パターンテーブルから１つの点灯パターンテーブルを選択することを特徴とする画像表示装置。
【０１１５】
（付記１１）  付記１に記載の画像表示装置において、任意の前記点灯パターンテーブルにおけるサブフィールド毎の点灯／不点灯を示すパターンデータは、前記表示パネルを駆動するためのデータであり、前記点灯パターンテーブルを切り換える用途のデータでもあることを特徴とする画像表示装置。
【０１１６】
（付記１２）  付記１に記載の画像表示装置において、
前記駆動制御回路は、任意の前記点灯パターンテーブルにおけるパターンデータを使用して前記表示パネルの駆動を行い、且つ、
前記ＳＦ選択回路は、前記任意の前記点灯パターンテーブルにおける前記表示パネルを駆動しないパターンデータを使用して前記点灯パターンテーブルの選択を行うことを特徴とする画像表示装置。
【０１１７】
（付記１３）  付記１に記載の画像表示装置において、
前記駆動制御回路は、前記表示パネルを駆動するために使用されるパターンデータは、点灯パターンテーブルにおける重みが最も小さいパターンデータから１つ或いは複数のパターンデータであることを特徴とする画像表示装置。
【０１１８】
（付記１４）  付記１に記載の画像表示装置において、前記点灯パターンテーブルの表示駆動するために使用されるサブフィールドにより表現できる最も大きい階調またはそれに近い階調Ｘから、当該点灯パターンテーブルの全てのサブフィールドにより表現できる最も大きい階調Ｚまで前記表示パネルを駆動するために使用されるパターンデータは、全て或いは比較的重みの大きいパターンデータの殆どが点灯を示すデータであることを特徴とする画像表示装置。
【０１１９】
（付記１５）  付記１４に記載の画像表示装置において、前記複数の点灯パターンテーブルは前記各サブフィールドの重みが全て同じの第１および第２の点灯パターンテーブルを備え、
前記第１の点灯パターンテーブルは入力に対して出力が線形で１対１に対応し、且つ、前記第２の点灯パターンテーブルは前記付記８の点灯パターンテーブルであることを特徴とする画像表示装置。
【０１２０】
（付記１６）  付記１５に記載の画像表示装置において、前記第２の点灯パターンテーブルにおける前記階調Ｘから前記階調Ｚまで点灯パターンテーブルを切り換える用途の１つ或いは複数の重みのパターンデータの点灯を示すデータの階調と、前記第１の点灯パターンテーブルの前記階調Ｘから前記階調Ｚまでの前記第２の点灯パターンテーブルにおける点灯パターンテーブルを切り換える用途の１つ或いは複数の同じ重みのパターンデータの点灯を示すデータの階調とが同じであることを特徴とする画像表示装置。
【０１２１】
（付記１７）  付記１５に記載の画像表示装置において、前記第２の点灯パターンテーブルにおける前記階調Ｘより低い階調において、点灯パターンテーブルを切り換える用途の１つ或いは複数の重みのパターンデータに点灯を示すデータがあることを特徴とする画像表示装置。
【０１２２】
（付記１８）  付記１５に記載の画像表示装置において、前記第２の点灯パターンテーブルにおける前記階調Ｘから前記階調Ｚまで点灯パターンテーブルを切り換えるための用途の１つ或いは複数の重みのパターンデータ毎で点灯を示すデータの数と、前記第１の点灯パターンテーブルの前記階調Ｘから前記階調Ｚまでの点灯を示すデータの数とが少ないことを特徴とする画像表示装置。
【０１２３】
（付記１９）  付記８に記載の画像表示装置において、前記複数の駆動シーケンスは、同じ重みのサブフィールドおよび異なる重みのサブフィールドを備え、同じ重みのサブフィールドは前記複数の駆動シーケンスにおいて発光する時間的位置が略同じであることを特徴とする画像表示装置。
【０１２４】
（付記２０）  付記８に記載の画像表示装置において、前記複数の駆動シーケンスは、同じ重みのサブフィールドおよび異なる重みのサブフィールドを備え、同じ重みのサブフィールドにおいて発光する順番が同じであることを特徴とする画像表示装置。
【０１２５】
（付記２１）  付記１に記載の画像表示装置において、前記表示ＳＦ選択回路は、前記ＳＦ使用率検出回路の各重みのサブフィールの出力が所定値以下であることを検出すると、該表示ＳＦ選択回路の出力を切り換えることを特徴とする画像表示装置。
【０１２６】
（付記２２）  付記１に記載の画像表示装置において、前記表示ＳＦ選択回路は、前記ＳＦ使用率検出回路の１つ或いは複数の重みのサブフィールドの出力が零であることを検出すると、該表示ＳＦ選択回路の出力を切り換えることを特徴とする画像表示装置。
【０１２７】
（付記２３）  付記１に記載の画像表示装置において、前記表示ＳＦ選択回路は、該表示ＳＦ選択回路の出力に従ってＳＦ使用率検出回路の出力ビット数を切り換えることを特徴とする画像表示装置。
【０１２８】
（付記２４）  付記１に記載の画像表示装置において、前記表示ＳＦ選択回路は、１フィールド毎に出力が切り換わって、以前のフィールドの出力結果を基に現在の出力値を決定することを特徴とする画像表示装置。
【０１２９】
（付記２５）  付記２４に記載の画像表示装置において、前記表示ＳＦ選択回路は、出力にヒステリシス特性を有していることを特徴とする画像表示装置。
【０１３０】
（付記２６）  付記１に記載の画像表示装置において、さらに、前記表示ＳＦ選択回路の出力に従って誤差拡散回路の出力ビット数を切り換える誤差拡散制御回路を画像入力と前記ＳＦ変換回路との間に備えることを特徴とする画像表示装置。
【０１３１】
（付記２７）  付記８に記載の画像表示装置において、前記駆動制御回路は、駆動シーケンスを切り換える場合、１つまたは複数のステップで徐々に切り換えることを特徴とする画像表示装置。
【０１３２】
（付記２８）  付記２７に記載の画像表示装置において、前記駆動制御回路が駆動シーケンスを切り換える場合の前記１つまたは複数のステップは、比較的重みが大きくて使われていないサブフィールドのサスティン期間を、表示駆動する最も重みが小さいサブフィールドの重みのサスティン期間と同じかそれ以下或いは零にすることを特徴とする画像表示装置。
【０１３３】
（付記２９）  付記２７に記載の画像表示装置において、前記駆動制御回路が駆動シーケンスを切り換える場合の前記１つまたは複数のステップは、比較的重みが大きくて使用率が零のサブフィールドを止めることを特徴とする画像表示装置。
【０１３４】
（付記３０）  付記２７に記載の画像表示装置において、前記駆動制御回路が駆動シーケンスを切り換える場合の前記１つまたは複数のステップは、休止期間を最初のサブフィールドの前或いは任意のサブフィールドの間に配置することを特徴とする画像表示装置。
【０１３５】
（付記３１）  付記２７に記載の画像表示装置において、前記駆動制御回路が駆動シーケンスを切り換える場合の前記１つまたは複数のステップは、休止期間を現在駆動している最も重みが小さいサブフィールドの期間とほぼ同じ時間までステップ毎に徐々に長くすることを特徴とする画像表示装置。
【０１３６】
（付記３２）  付記２７に記載の画像表示装置において、前記駆動制御回路が駆動シーケンスを切り換える場合の前記１つまたは複数のステップは、休止期間を現在駆動している最も重みが小さいサブフィールドよりも１つ小さい重みのサブフィールドの期間とほぼ同じ時間までステップ毎に徐々に長くすることを特徴とする画像表示装置。
【０１３７】
（付記３３）  付記２７に記載の画像表示装置において、前記駆動制御回路が駆動シーケンスを切り換える場合の前記１つまたは複数のステップは、最後のステップで休止期間に現在表示している最も重みの小さいサブフィールドよりも１つ小さい重みのサブフィールドを挿入することを特徴とする画像表示装置。
【０１３８】
（付記３４）  付記２７に記載の画像表示装置において、前記駆動制御回路が駆動シーケンスを切り換える場合の前記１つまたは複数のステップは、最後のステップで休止期間に現在表示している最も重みの小さいサブフィールドよりも１つ小さい重みのサブフィールドを挿入すると共に、最も重みの大きいサブフィールドのデータが割り当てられているサブフィールドを止めることを特徴とする画像表示装置。
【０１３９】
（付記３５）  付記２７に記載の画像表示装置において、前記駆動制御回路が駆動シーケンスを切り換える場合の前記１つまたは複数のステップは、最後のステップで休止期間に現在表示している最も重みの小さいサブフィールドよりも１つ小さい重みのサブフィールドを挿入すると共に、前記複数のサブフィールドを駆動する順番を時間的に並び変えることを特徴とする画像表示装置。
【０１４０】
（付記３６）  付記２７に記載の画像表示装置において、前記駆動制御回路が駆動シーケンスを切り換える場合の前記１つまたは複数のステップは、最後のステップで休止期間に現在表示している最も重みの小さいサブフィールドよりも１つ小さい重みのサブフィールドを挿入すると共に、前記複数のサブフィールドを駆動する順番を時間的に重みが小さい順番に並び変えることを特徴とする画像表示装置。
【０１４１】
（付記３７）  付記８に記載の画像表示装置において、前記選択された１つの点灯パターンテーブルに対して前記複数の駆動シーケンスの中から１つを選択して駆動することを特徴とする画像表示装置。
【０１４２】
（付記３８）  付記１に記載の画像表示装置において、前記複数の点灯パターンテーブルは、比較的重みが小さいサブフィールドの重みは２のべき乗の数で、比較的重みが大きいサブフィールドの重みは２のべき乗ではないことを特徴とする画像表示装置。
【０１４３】
（付記３９）  付記１に記載の画像表示装置において、該画像表示装置は、プラズマディスプレイ装置であることを特徴とする画像表示装置。
【０１４４】
（付記４０）  付記１に記載の画像表示装置において、該画像表示装置は、プラズマディスプレイ装置であることを特徴とする画像表示装置。
【０１４５】
（付記４１）  入力信号の信号レベルに応じて多階調表示を行う画像表示装置であって、階調の増加に応じて出力レベルが単調増加となる第１の階調特性と、階調の増加に対して出力レベルが一定となる領域を含む第２の階調特性とを映像内容に従って切り換えて表示することを特徴とする画像表示装置。
【０１４６】
（付記４２）  付記４１に記載の画像表示装置において、前記第２の階調特性は、前記第１の階調特性よりも低階調領域での階調ステップが細かいことを特徴とする画像表示装置。
【０１４７】
（付記４３）  １フィールドを重み付けされた複数のサブフィールドに分割し、該複数のサブフィールドを組み合わせて表示パネルに多階調表示を行う画像表示装置の駆動方法であって、
１フィールド期間内において符号化されたサブフィールド毎に使われている画素数を検出する画素数検出段階と、
該検出されたサブフィールド毎の画素数に従って、点灯パターンテーブルの選択信号を出力する選択信号出力段階と、
入力画像信号を受け取り、前記選択信号に従って予め記憶された複数の点灯パターンテーブルから１つを選択し、該選択された点灯パターンテーブルに従って前記サブフィールドのデータに符号化して出力する符号化データ出力段階と、
前記符号化されたサブフィールドのデータおよび所定の駆動シーケンスに従って前記表示パネルに画像を表示する画像表示段階と、を備えることを特徴とする画像表示装置の駆動方法。
【０１４８】
（付記４４）  付記４３に記載の画像表示装置の駆動方法において、前記選択信号出力段階は、前記検出されたサブフィールド毎の画素数により当該サブフィールドの使用率を検出し、該検出されたサブフィールドの使用率に従って前記点灯パターンテーブルの選択信号を出力することを特徴とする画像表示装置の駆動方法。
【０１４９】
（付記４５）  付記４３に記載の画像表示装置の駆動方法において、前記画素数検出段階は、画像入力を入力信号とすることを特徴とする画像表示装置の駆動方法。
【０１５０】
（付記４６）  付記４５に記載の画像表示装置の駆動方法において、前記画素数検出段階は、前記入力画像を所定値と比較し、該比較結果が所定値以上であるとする画素数を加算することを特徴とする画像表示装置の駆動回路。
【０１５１】
（付記４７）  付記４６に記載の画像表示装置の駆動回路において、前記所定値は、前記点灯パターンテーブルで表示に使われるサブフィールドで表現できる最大階調近辺の値であることを特徴とする画像表示装置の駆動回路。
【０１５２】
（付記４８）  付記４３に記載の画像表示装置の駆動方法において、
前記駆動シーケンスは予め複数設定されており、前記画像表示段階は、前記選択された点灯パターンテーブルに合わせて１つの駆動シーケンスを選択し、該選択された駆動シーケンスに従って画像を表示することを特徴とする画像表示装置の駆動方法。
【０１５３】
（付記４９）  付記４３に記載の画像表示装置の駆動方法において、前記画素数検出段階は、前記サブフィールドのデータに符号化された同じ重みのサブフィールドのデータを、１フィールドの期間で該各重みのサブフィールドのデータの画素数を加算演算し、１フィールド毎に出力することを特徴とする画像表示装置の駆動方法。
【０１５４】
（付記５０）  付記４３に記載の画像表示装置の駆動方法において、前記符号化データ出力段階は、任意の前記点灯パターンテーブルに設けられたデータに従って前記複数の点灯パターンテーブルから１つの点灯パターンテーブルを選択することを特徴とする画像表示装置の駆動方法。
【０１５５】
（付記５１）  付記４３に記載の画像表示装置の駆動方法において、前記符号化データ出力段階で、任意の前記点灯パターンテーブルにおける点灯／不点灯を示すサブフィールド毎のパターンデータは、前記表示パネルを駆動するためのデータであり、前記点灯パターンテーブルを切り換える用途のデータでもあることを特徴とする画像表示装置の駆動方法。
【０１５６】
（付記５２）  付記４３記載の画像表示装置の駆動方法において、
前記画像表示段階は、任意の前記点灯パターンテーブルにおけるパターンデータを使用して前記表示パネルの駆動を行い、且つ、
前記符号化データ出力段階は、前記任意の前記点灯パターンテーブルにおける前記表示パネルを駆動しないパターンデータを使用して前記点灯パターンテーブルの選択を行うことを特徴とする画像表示装置の駆動方法。
【０１５７】
（付記５３）  付記４３に記載の画像表示装置の駆動方法において、
前記画像表示段階は、点灯パターンテーブルにおける重みが最も小さいパターンデータから１つ或いは複数のパターンデータを使用して前記表示パネルを駆動することを特徴とする画像表示装置の駆動方法。
【０１５８】
（付記５４）  付記４３に記載の画像表示装置の駆動方法において、前記点灯パターンテーブルの表示駆動するために使用されるサブフィールドにより表現できる最も大きい階調またはそれに近い階調Ｘから、当該点灯パターンテーブルの全てのサブフィールドにより表現できる最も大きい階調Ｚまで前記表示パネルを駆動するために使用されるパターンデータは、全て或いは比較的重みの大きいパターンデータの殆どが点灯を示すデータであることを特徴とする画像表示装置の駆動方法。
【０１５９】
（付記５５）  付記５４に記載の画像表示装置の駆動方法において、前記複数の点灯パターンテーブルは前記各サブフィールドの重みが全て同じの第１および第２の点灯パターンテーブルを備え、
前記第１の点灯パターンテーブルは入力に対して出力が線形で１対１に対応し、且つ、前記第２の点灯パターンテーブルは前記付記８の点灯パターンテーブルであることを特徴とする画像表示装置の駆動方法。
【０１６０】
（付記５６）  付記５５に記載の画像表示装置の駆動方法において、前記第２の点灯パターンテーブルにおける前記階調Ｘから前記階調Ｚまで点灯パターンテーブルを切り換える用途の１つ或いは複数の重みのパターンデータの点灯を示すデータの階調と、前記第１の点灯パターンテーブルの前記階調Ｘから前記階調Ｚまでの前記第２の点灯パターンテーブルにおける点灯パターンテーブルを切り換える用途の１つ或いは複数の同じ重みのパターンデータの点灯を示すデータの階調とが同じであることを特徴とする画像表示装置の駆動方法。
【０１６１】
（付記５７）  付記５５に記載の画像表示装置の駆動方法において、前記第２の点灯パターンテーブルにおける前記階調Ｘより低い階調において、点灯パターンテーブルを切り換える用途の１つ或いは複数の重みのパターンデータに点灯を示すデータがあることを特徴とする画像表示装置の駆動方法。
【０１６２】
（付記５８）  付記５５に記載の画像表示装置の駆動方法において、前記第２の点灯パターンテーブルにおける前記階調Ｘから前記階調Ｚまで点灯パターンテーブルを切り換えるための用途の１つ或いは複数の重みのパターンデータ毎で点灯を示すデータの数と、前記第１の点灯パターンテーブルの前記階調Ｘから前記階調Ｚまでの点灯を示すデータの数とが少ないことを特徴とする画像表示装置の駆動方法。
【０１６３】
（付記５９）  付記４８に記載の画像表示装置の駆動方法において、前記複数の駆動シーケンスは、同じ重みのサブフィールドおよび異なる重みのサブフィールドを備え、同じ重みのサブフィールドは前記複数の駆動シーケンスにおいて発光する時間的位置が略同じであることを特徴とする画像表示装置の駆動方法。
【０１６４】
（付記６０）  付記４８に記載の画像表示装置の駆動方法において、前記複数の駆動シーケンスは、同じ重みのサブフィールドおよび異なる重みのサブフィールドを備え、同じ重みのサブフィールドにおいて発光する順番が同じであることを特徴とする画像表示装置の駆動方法。
【０１６５】
（付記６１）  付記４３に記載の画像表示装置の駆動方法において、前記選択信号出力段階は、前記画素数検出段階において各重みのサブフィールドの出力が所定値以下であることを検出すると、前記選択信号を切り換えることを特徴とする画像表示装置の駆動方法。
【０１６６】
（付記６２）  付記４３に記載の画像表示装置の駆動方法において、前記選択信号出力段階は、前記画素数検出段階において１つ或いは複数の重みのサブフィールドの出力が零であることを検出すると、前記選択信号を切り換えることを特徴とする画像表示装置の駆動方法。
【０１６７】
（付記６３）  付記４３に記載の画像表示装置の駆動方法において、前記選択信号出力段階は、前記選択信号に従って検出された画素数の出力ビット数を切り換えることを特徴とする画像表示装置の駆動方法。
【０１６８】
（付記６４）  付記４３に記載の画像表示装置の駆動方法において、前記選択信号出力段階は、１フィールド毎に出力が切り換わって、以前のフィールドの出力結果を基に現在の出力値を決定することを特徴とする画像表示装置の駆動方法。
【０１６９】
（付記６５）  付記６４に記載の画像表示装置の駆動方法において、前記選択信号出力段階は、ヒステリシス特性をもって前記選択信号を出力することを特徴とする画像表示装置の駆動方法。
【０１７０】
（付記６６）  付記４３に記載の画像表示装置の駆動方法において、さらに、前記選択信号に従って誤差拡散に使用するビット数を切り換える誤差拡散制御段階を備えることを特徴とする画像表示装置の駆動方法。
【０１７１】
（付記６７）  付記４８に記載の画像表示装置の駆動方法において、前駆動シーケンスを切り換える場合、１つまたは複数のステップで徐々に切り換えることを特徴とする画像表示装置の駆動方法。
【０１７２】
（付記６８）  付記６７に記載の画像表示装置の駆動方法において、前記駆動シーケンスを切り換える場合の前記１つまたは複数のステップは、比較的重みが大きくて使われていないサブフィールドのサスティン期間を、表示駆動する最も重みが小さいサブフィールドの重みのサスティン期間と同じかそれ以下或いは零にすることを特徴とする画像表示装置の駆動方法。
【０１７３】
（付記６９）  付記６７に記載の画像表示装置の駆動方法において、前記駆動シーケンスを切り換える場合の前記１つまたは複数のステップは、比較的重みが大きくて使用率が零のサブフィールドを止めることを特徴とする画像表示装置の駆動方法。
【０１７４】
（付記７０）  付記６７に記載の画像表示装置の駆動方法において、前記駆動シーケンスを切り換える場合の前記１つまたは複数のステップは、休止期間を最初のサブフィールドの前或いは任意のサブフィールドの間に配置することを特徴とする画像表示装置の駆動方法。
【０１７５】
（付記７１）  付記６７に記載の画像表示装置の駆動方法において、前記駆動シーケンスを切り換える場合の前記１つまたは複数のステップは、休止期間を現在駆動している最も重みが小さいサブフィールドの期間とほぼ同じ時間までステップ毎に徐々に長くすることを特徴とする画像表示装置の駆動方法。
【０１７６】
（付記７２）  付記６７に記載の画像表示装置の駆動方法において、前記駆動シーケンスを切り換える場合の前記１つまたは複数のステップは、休止期間を現在駆動している最も重みが小さいサブフィールドよりも１つ小さい重みのサブフィールドの期間とほぼ同じ時間までステップ毎に徐々に長くすることを特徴とする画像表示装置の駆動方法。
【０１７７】
（付記７３）  付記６７に記載の画像表示装置の駆動方法において、前記駆動シーケンスを切り換える場合の前記１つまたは複数のステップは、最後のステップで休止期間に現在表示している最も重みの小さいサブフィールドよりも１つ小さい重みのサブフィールドを挿入することを特徴とする画像表示装置の駆動方法。
【０１７８】
（付記７４）  付記６７に記載の画像表示装置の駆動方法において、前記駆動シーケンスを切り換える場合の前記１つまたは複数のステップは、最後のステップで休止期間に現在表示している最も重みの小さいサブフィールドよりも１つ小さい重みのサブフィールドを挿入すると共に、最も重みの大きいサブフィールドのデータが割り当てられているサブフィールドを止めることを特徴とする画像表示装置の駆動方法。
【０１７９】
（付記７５）  付記６７に記載の画像表示装置の駆動方法において、前記駆動シーケンスを切り換える場合の前記１つまたは複数のステップは、最後のステップで休止期間に現在表示している最も重みの小さいサブフィールドよりも１つ小さい重みのサブフィールドを挿入すると共に、前記複数のサブフィールドを駆動する順番を時間的に並び変えることを特徴とする画像表示装置の駆動方法。
【０１８０】
（付記７６）  付記６７に記載の画像表示装置の駆動方法において、前記駆動シーケンスを切り換える場合の前記１つまたは複数のステップは、最後のステップで休止期間に現在表示している最も重みの小さいサブフィールドよりも１つ小さい重みのサブフィールドを挿入すると共に、前記複数のサブフィールドを駆動する順番を時間的に重みが小さい順番に並び変えることを特徴とする画像表示装置の駆動方法。
【０１８１】
（付記７７）  付記４８に記載の画像表示装置の駆動方法において、前記選択された１つの点灯パターンテーブルに対して前記複数の駆動シーケンスの中から１つを選択して駆動することを特徴とする画像表示装置の駆動方法。
【０１８２】
（付記７８）  付記４３に記載の画像表示装置の駆動方法において、前記複数の点灯パターンテーブルは、比較的重みが小さいサブフィールドの重みは２のべき乗の数で、比較的重みが大きいサブフィールドの重みは２のべき乗ではないことを特徴とする画像表示装置の駆動方法。
【０１８３】
（付記７９）  付記４３に記載の画像表示装置の駆動方法において、該画像表示装置は、プラズマディスプレイ装置であることを特徴とする画像表示装置の駆動方法。
【０１８４】
（付記８０）  入力信号の信号レベルに応じて多階調表示を行う画像表示装置の駆動方法であって、階調の増加に応じて出力レベルが単調増加となる第１の階調特性と、階調の増加に対して出力レベルが一定となる領域を含む第２の階調特性とを映像内容に従って切り換えて表示することを特徴とする画像表示装置の駆動方法。
【０１８５】
（付記８１）  付記８０に記載の画像表示装置の駆動方法において、前記第２の階調特性は、前記第１の階調特性よりも低階調領域での階調ステップが細かいことを特徴とする画像表示装置の駆動方法。
【産業上の利用可能性】
【０１８６】
本発明は、プラズマディスプレイ装置を初めとする画像表示装置に幅広く適用することができ、例えば、パーソナルコンピュータやワークステーション等のディスプレイ装置、平面型の壁掛けテレビジョン、或いは、広告や情報等を表示するための装置として利用される画像表示装置に対して適用することができる。
【図面の簡単な説明】
【０１８７】
【図１】従来の画像表示装置における駆動シーケンスの一例を示す図である。
【図２】本発明に係る画像表示装置の一実施例を示すブロック図である。
【図３】本発明の画像表示装置における多階調化処理回路の一例を示すブロック図である。
【図４】本発明の画像表示装置のＳＦ変換回路における点灯パターンの第１の例を示す図である。
【図５】本発明の画像表示装置のＳＦ変換回路における点灯パターンの第２の例を示す図である。
【図６】本発明の画像表示装置のＳＦ変換回路における点灯パターンの第３の例を示す図である。
【図７】図３における誤差拡散制御回路の一例を示すブロック図である。
【図８】本発明の画像表示装置におけるＳＦ使用率検出回路の一例を示すブロック図である。
【図９】本発明の画像表示装置における表示ＳＦ選択回路の一例を示すブロック図である。
【図１０】本発明の画像表示装置における表示ＳＦ選択回路の出力例の表を示す図である。
【図１１】本発明の画像表示装置における駆動シーケンスの第１実施例を示す図である。
【図１２】本発明の画像表示装置における駆動制御回路の一例を示すブロック図である。
【図１３】本発明の画像表示装置における画像表示処理の一例を示すフローチャートである。
【図１４】本発明の画像表示装置における画像表示処理の他の例を示すフローチャートである。
【図１５】本発明の画像表示装置のＳＦ変換回路における点灯パターンの第４の例を示す図である。
【図１６】本発明の画像表示装置のＳＦ変換回路における点灯パターンの第５の例を示す図である。
【図１７】本発明の画像表示装置のＳＦ変換回路における点灯パターンの第６の例を示す図である。
【図１８】本発明の画像表示装置のＳＦ変換回路における点灯パターンの第７の例を示す図である。
【図１９】本発明の画像表示装置のＳＦ変換回路における点灯パターンの第８の例を示す図である。
【図２０】本発明の画像表示装置における表示ＳＦ選択処理の一例を示すフローチャートである。
【図２１】本発明の画像表示装置における表示ＳＦ選択回路の出力であるヒステリシス特性の第１の例を示す図である。
【図２２】本発明の画像表示装置における表示ＳＦ選択処理の他の例を示すフローチャートである。
【図２３】本発明の画像表示装置における表示ＳＦ選択回路の出力であるヒステリシス特性の第２の例を示す図である。
【図２４】本発明の画像表示装置における表示ＳＦ選択回路の出力であるヒステリシス特性の第３の例を示す図である。
【図２５】本発明の画像表示装置の駆動制御回路における駆動シーケンスの第２実施例を示す図である。
【図２６】本発明の画像表示装置の駆動制御回路における駆動シーケンスの第３実施例を示す図である。
【図２７】本発明の画像表示装置の駆動制御回路における駆動シーケンスの第４実施例を示す図である。
【図２８】本発明の画像表示装置の駆動制御回路における駆動シーケンスの第５実施例を示す図である。
【図２９】本発明に係る画像表示装置の他の実施例を示すブロック図である。
【図３０】本発明の画像表示装置におけるＳＦ使用率検出回路の他の例を示すブロック図である。
【符号の説明】
【０１８８】
１…映像信号入力端子
２…同期信号入力端子
３…多階調化処理回路
４…フィールドメモリ
５…駆動制御回路
６…ＳＦ使用率検出回路
７…表示ＳＦ選択回路
８…タイミング生成回路
９…表示パネル
３０…ゲイン回路
３１…誤差拡散制御回路
３２…ＳＦ変換回路
３３…メモリ書き込み制御回路
【図１】
2005234369.tif 000003
【図２】
2005234369.tif 000004
【図３】
2005234369.tif 000005
【図４】
2005234369.tif 000006
【図５】
2005234369.tif 000007
【図６】
2005234369.tif 000008
【図７】
2005234369.tif 000009
【図８】
2005234369.tif 000010
【図９】
2005234369.tif 000011
【図１０】
2005234369.tif 000012
【図１１】
2005234369.tif 000013
【図１２】
2005234369.tif 000014
【図１３】
2005234369.tif 000015
【図１４】
2005234369.tif 000016
【図１５】
2005234369.tif 000017
【図１６】
2005234369.tif 000018
【図１７】
2005234369.tif 000019
【図１８】
2005234369.tif 000020
【図１９】
2005234369.tif 000021
【図２０】
2005234369.tif 000022
【図２１】
2005234369.tif 000023
【図２２】
2005234369.tif 000024
【図２３】
2005234369.tif 000025
【図２４】
2005234369.tif 000026
【図２５】
2005234369.tif 000027
【図２６】
2005234369.tif 000028
【図２７】
2005234369.tif 000029
【図２８】
2005234369.tif 000030
【図２９】
2005234369.tif 000031
【図３０】
2005234369.tif 000032